(57)【要約】【課題】異なる識別情報間における電子マネー情報の移動の指示を、視覚的に捉えて簡易に行う。【解決手段】電子マネー表示画面上の単位選択ボタンを押下し、移動先の電子マネーの残高表示部４６Ａに隣接して設けられたアップボタン５４Ａ、もしくは、移動元の電子マネーの残高表示部４６Ｂに隣接して設けられたダウンボタン５６Ｂが押下されると、電子マネー情報の金額の移動に伴って、残高表示部４６、及び取引後残高表示部５０の表示を変更する。移動先の電子マネー情報の取引後残高が０円以上になったら、移動先の電子マネーの選択ボタン５２Ａを、選択可能な状態に表示を変更する。【選択図】図７
2009086919.tif 000002
【特許請求の範囲】
【請求項１】
複数の異なる識別情報に応じて電子マネー情報を記憶した記憶手段から、識別情報の各々に応じて電子マネー情報を読み取る読取手段と、
前記読取手段により読み取った前記電子マネー情報の金額が、前記電子マネー情報を変更する変更情報を入力するための入力手段が表示される表示手段に、前記識別情報の各々に応じて表示されるように制御する第１の制御手段と、
前記入力手段から入力された前記変更情報に基づいて、前記表示手段に表示された１つの識別情報に応じた電子マネー情報の金額が変更されると共に、前記１つの識別情報に応じた電子マネー情報の金額の変更に応じて他の識別情報に応じた電子マネー情報の金額が変更されるように制御する第２の制御手段と、
前記変更情報に基づいて、前記記憶手段に記憶した電子マネー情報を書き替える書替手段と、
を備えた電子マネー表示装置。
【請求項２】
前記第１の制御手段は、前記表示手段に、前記入力手段として電子マネー情報の金額を増加させる増加用入力手段及び電子マネー情報の金額を減少させる減少用入力手段が表示されるように制御する請求項１に記載の電子マネー表示装置。
【請求項３】
前記第２の制御手段は、前記表示手段に、電子マネー情報の変更額が表示されるように制御する請求項１または請求項２に記載の電子マネー表示装置。
【請求項４】
前記第２の制御手段は、識別情報に応じた電子マネー情報の金額が所定の処理を実行するために要する金額以上の場合に、前記表示手段に、該識別情報に応じた電子マネー情報を選択するための選択手段が表示されるように制御する請求項１〜請求項３の何れか１項に記載の電子マネー表示装置。
【請求項５】
前記第１の制御手段は、前記表示手段に、前記変更情報により変更される金額の単位を選択するための複数の単位選択手段が表示されるように制御する請求項１〜請求項４の何れか１項に記載の電子マネー表示装置。
【請求項６】
請求項１〜請求項５の何れか１項に記載の電子マネー表示装置を有する画像形成装置。
【請求項７】
コンピュータを、
複数の異なる識別情報に応じて電子マネー情報を記憶した記憶手段から、識別情報の各々に応じて電子マネー情報を読み取る読取手段と、
前記読取手段により読み取った前記電子マネー情報の金額が、前記電子マネー情報を変更する変更情報を入力するための入力手段が表示される表示手段に、前記識別情報の各々に応じて表示されるように制御する第１の制御手段と、
前記入力手段から入力された前記変更情報に基づいて、前記表示手段に表示された１つの識別情報に応じた電子マネー情報の金額が変更されると共に、前記１つの識別情報に応じた電子マネー情報の金額の変更に応じて他の識別情報に応じた電子マネー情報の金額が変更されるように制御する第２の制御手段と、
前記変更情報に基づいて、前記記憶手段に記憶した電子マネー情報を書き替える書替手段と、
して機能させるための電子マネー表示プログラム。
【発明の詳細な説明】
【技術分野】
【０００１】
本発明は、電子マネー表示装置、画像形成装置、及びプログラムに関する。
【背景技術】
【０００２】
従来、電子マネーによる支払い時に、電子マネーの金額と支払い金額との比較により、電子マネーの金額が不足していない場合には、支払い金額の分だけ電子マネーの金額を減額するように、ＩＣカードに記録された電子マネーの金額を更新し、電子マネーの金額が不足している場合には、電子マネーによる支払いを中止して全額現金で支払うか、電子マネーの金額を全額支払に当てて、不足額を現金で支払うか別の電子マネーで支払うように制御する電子マネー表示装置が知られている（例えば、特許文献１参照）。
【０００３】
また、複数枚のＩＣカードを収容した装置内のＩＣカード間で電子マネーを移転したり、金融機関のＩＣカードから利用者のＩＣカードへ電子マネーを移転したりするように制御する電子マネー表示装置が知られている（例えば、特許文献２参照）。
【特許文献１】特開２００１−２２２６７２号公報
【特許文献２】特開平１０−９１７３９号公報
【発明の開示】
【発明が解決しようとする課題】
【０００４】
本発明は、異なる識別情報間における電子マネー情報の移動の指示を、視覚的に捉えて簡易に行うことができる電子マネー表示装置、画像形成装置、及びプログラムを提供すること目的とする。
【課題を解決するための手段】
【０００５】
上記目的を達成するために本発明の電子マネー表示装置は、複数の異なる識別情報に応じて電子マネー情報を記憶した記憶手段から、識別情報の各々に応じて電子マネー情報を読み取る読取手段と、前記読取手段により読み取った前記電子マネー情報の金額が、前記電子マネー情報を変更する変更情報を入力するための入力手段が表示される表示手段に、前記識別情報の各々に応じて表示されるように制御する第１の制御手段と、前記入力手段から入力された前記変更情報に基づいて、前記表示手段に表示された１つの識別情報に応じた電子マネー情報の金額が変更されると共に、前記１つの識別情報に応じた電子マネー情報の表示の変更に応じて他の識別情報に応じた電子マネー情報の金額が変更されるように制御する第２の制御手段と、前記変更情報に基づいて、前記記憶手段に記憶した電子マネー情報を書き替える書替手段と、を備えている。
【０００６】
また、本発明の第１の制御手段は、前記表示手段に、前記入力手段として電子マネー情報の金額を増加させる増加用入力手段及び電子マネー情報の金額を減少させる減少用入力手段が表示されるように制御するものである。
【０００７】
また、本発明の第２の制御手段は、前記表示手段に、電子マネー情報の変更額が表示されるように制御するものである。
【０００８】
また、本発明の第２の制御手段は、識別情報に応じた電子マネー情報の金額が所定の処理を実行するために要する金額以上の場合に、前記表示手段に、該識別情報に応じた電子マネー情報を選択するための選択手段が表示されるように制御するものである。
【０００９】
また、本発明の第１の制御手段は、前記表示手段に、前記変更情報により変更される金額の単位を選択するための複数の単位選択手段が表示されるように制御するものである。
【００１０】
また、本発明の電子マネー表示装置を画像形成装置に設けることができる。
【００１１】
また、本発明の電子マネー表示プログラムは、コンピュータを、複数の異なる識別情報に応じて電子マネー情報を記憶した記憶手段から、識別情報の各々に応じて電子マネー情報を読み取る読取手段と、前記読取手段により読み取った前記電子マネー情報の金額が、前記電子マネー情報を変更する変更情報を入力するための入力手段が表示される表示手段に、前記識別情報の各々に応じて表示されるように制御する第１の制御手段と、前記入力手段から入力された前記変更情報に基づいて、前記表示手段に表示された１つの識別情報に応じた電子マネー情報の金額が変更されると共に、前記１つの識別情報に応じた電子マネー情報の表示の変更に応じて他の識別情報に応じた電子マネー情報の金額が変更されるように制御する第２の制御手段と、前記変更情報に基づいて、前記記憶手段に記憶した電子マネー情報を書き替える書替手段と、して機能させる。
【発明の効果】
【００１２】
請求項１に係る電子マネー表示装置によれば、異なる識別情報間における電子マネー情報の移動の指示を、視覚的に捉えて簡易に行うことができる、という効果が得られる。
【００１３】
請求項２に係る電子マネー表示装置によれば、異なる識別情報間における電子マネー情報の移動の指示を、視覚的に捉えて直感的に簡易に行うことができる、という効果が得られる。
【００１４】
請求項３に係る電子マネー表示装置によれば、異なる識別情報間における電子マネー情報の移動の指示を、視覚的に捉えて変更金額を確認しながら簡易に行うことができる、という効果が得られる。
【００１５】
請求項４に係る電子マネー表示装置によれば、異なる識別情報間における電子マネー情報の移動の指示及び利用する電子マネーの選択を、視覚的に捉えて簡易に行うことができる、という効果が得られる。
【００１６】
請求項５に係る電子マネー表示装置によれば、異なる識別情報間における電子マネー情報の移動の指示をより所望する金額で簡易に行うことができる、という効果が得られる。
【００１７】
請求項６に係る画像形成装置によれば、異なる識別情報間における電子マネー情報の移動の指示を、視覚的に捉えて簡易に行うことができる、という効果が得られる。
【００１８】
請求項７に係るプログラムによれば、異なる識別情報間における電子マネー情報の移動の指示を、視覚的に捉えて簡易に行うことができる、という効果が得られる。
【発明を実施するための最良の形態】
【００１９】
以下、図面を参照して本発明の実施の形態を詳細に説明する。図１は、本発明の電子マネー表示装置１０を適用した複合機１２の外観概略図、図２は、本実施の形態の構成を示すブロック図である。
【００２０】
複合機１２は、読取部１４、出力部１６、及び複合機制御部１８を含んで構成されている。
【００２１】
読取部１４は、いわゆるスキャナであり、インタフェイス（図示せず）を介して複合機制御部１８と接続されている。読取部１４では、原稿台２０にセットされた原稿画像を読み取り、読み取った画像について、文字、及び画像からなるイメージデータと制御データ（コマンドデータ）を作成し、これらの各データを複合機制御部１８へ送信する。なお、ここで原稿台２０としては、自動原稿送り装置（ＡＤＦ）を適用することもできる。
【００２２】
出力部１６は、図示しないレーザダイオード、ポリゴンミラー、及びレンズ等の光学部品で構成されたプリントヘッドと、感光体、帯電器、及び現像器等の電子写真プロセス器と、記録紙の給紙を行う給紙ユニットとを備え、インタフェイスを介して複合機制御部１８と接続されている。
【００２３】
出力部１６では、複合機制御部１８から送信された各データに基づいて、プリントヘッドのレーザダイオードからレーザビームを発生させ、帯電器により一様に帯電された感光体上にこのレーザビームを照射して静電潜像を形成し、現像器によってこの静電潜像を現像した後、給紙ユニットから供給された記録紙に所定の文字または画像を転写記録する。
【００２４】
複合機制御部１８は、読取部１４から送信された各データを受信し、受信した各データを解析して解析したデータを出力部１６へ送信する。また、複合機制御部１８は、複合機１２を構成する各部への各種情報の入出力や、複合機１２の駆動等を制御する。
【００２５】
電子マネー表示装置１０は、タッチパネル付表示部２２、制御部２４、ＩＣカードリーダライタ部２６、及び課金装置２８を備えている。
【００２６】
タッチパネル付表示部２２には、複合機１２の機能や電子マネー情報等を示す文字や図形のイメージからなるオブジェクトとしてのボタンが表示される。これらのボタンは入力手段として機能し、ユーザの指等でボタンを選択することで機能の設定、電子マネー情報の変更、及び支払方法の選択等種々の操作を行なうための入力を行うことができる。タッチパネル付表示部２２は、制御部２４と接続されている。
【００２７】
なお、本実施の形態では、表示手段としてタッチパネル付表示装置を使用しているが、画面上のマウスの操作により移動するポインタを用いて入力するようなものでも良い。
【００２８】
制御部２４は、ＣＰＵ、ＲＯＭ、及びＲＡＭを含んで構成され、記憶媒体としてのＲＯＭには以下で説明する処理ルーチンのプログラムが記憶されている。制御部２４は、ＲＯＭに格納されたタッチパネル付表示部２２の駆動及びその制御に必要なプログラム等種々のデータを読み出し、読み出したデータに従って、タッチパネル付表示部２２に所定の操作画面やメッセージ画面等を表示させたり、その表示を切換えたりする。
【００２９】
なお、ＲＯＭには、例えば、タッチパネル付表示部２２に表示される表示画面の内容である画面データ、動作状態を通知する場合のメッセージ情報、エラー発生時のエラー情報、タッチパネル付表示部２２への操作を可能とするために入力項目としての情報を表示する操作キーの表示位置の座標、操作キーの形状、及び大きさ等に関するデータが格納されている。
【００３０】
ＩＣカードリーダライタ部２６は、複合機１２により画像形成を行うために必要な料金を電子マネーで支払う場合に、電子マネー情報を記憶したＩＣカードの電子マネー情報を読み取り、及び書き替えるものである。ＩＣカードに複数の異なる識別情報に応じた電子マネー情報が記憶されている場合は、ＩＣカードリーダライタ部２６は、複数の異なる識別情報に応じた電子マネー情報の読み取り、及び書き替えを行う。
【００３１】
ＩＣカードリーダライタ部２６は、制御部２４に接続されており、ＩＣカードリーダライタ部２６で読み取った電子マネー情報が制御部２４に入力される。また、タッチパネル付表示部２２からユーザによる電子マネーの書き替えの指示があった場合等には、制御部２４に書き替えの指示が入力され、電子マネー情報の書き替えが行われるようにＩＣカードリーダライタ部２６を制御する。なお、ＩＣカードだけでなく、ＩＣチップを搭載した携帯電話等も利用することができる。
【００３２】
課金装置２８は、現金を投入する現金投入口３０、及び現金によるおつりを返却する際のおつり返却口３２を含んで構成されており、現金により料金を支払う場合に使用される。課金装置２８は、制御部２４と接続されており、投入された金額は、課金装置２８に設けられた図示しない投入金額検出部により検出され、金額の情報が制御部２４へ入力される。
【００３３】
次に、本実施の形態の電子マネー情報の移動に関する処理ルーチンについて図３を参照して説明する。本実施の形態では、ジョブとしてコピーが選択された場合について説明する。
【００３４】
ステップ１００で、コピーが選択されることにより、ジョブ有の状態になったか否かを判断する。ジョブ有の場合には、ステップ１０２へ進み、ジョブ無の場合には、ステップ１００へ戻って待機状態となる。
【００３５】
ステップ１０２で、白黒／カラーモード、用紙サイズ、拡縮倍率、コピー濃度、及びコピー枚数等の各種設定が行われたか否かを判断する。ステップ１０２で肯定された場合には、ステップ１０４へ進み、否定された場合には、ステップ１０２へ戻って、設定が行われるまで繰り返す。
【００３６】
次に、ステップ１０４で、ステップ１０２で設定した各種設定に基づいてコピーを行う場合に必要な料金を計算して、図４に示すような設定内容及び料金の確認画面をタッチパネル付表示部２２に表示する。設定内容及び料金の確認画面は、ステップ１０２で設定された各種設定の内容が表示される設定内容表示部３４、ステップ１０４で計算された料金が表示される料金表示部３６、及び表示内容を確認した場合の確認信号を入力する確認ボタン３８を有している。
【００３７】
次に、ステップ１０６で、設定内容及び料金の確認画面の確認ボタン３８が押下されたか否かを判断する。押下された場合には、ステップ１０８へ進み、押下されない場合には、ステップ１０６へ戻って、押下されるまで繰り返す。
【００３８】
ステップ１０８で、図５に示すような支払方法選択画面をタッチパネル付表示部２２に表示する。支払方法選択画面は、現金による支払いを選択するための現金選択信号を入力する現金選択ボタン４０、及び電子マネーによる支払いを選択するための電子マネー選択信号を入力する電子マネー選択ボタン４２を有している。
【００３９】
次に、ステップ１１０で、支払方法選択画面の現金選択ボタン４０及び電子マネー選択ボタン４２の何れかが押下されることにより、支払方法が選択されたか否かを判断する。現金選択ボタン４０が押下された場合には、ステップ１１２へ進み、電子マネー選択ボタン４２が押下された場合には、ステップ１１６へ進む。
【００４０】
ステップ１１２で、課金装置２８の現金投入口３０から現金が投入されたか否かを判断する。現金が投入された場合には、ステップ１１４へ進み、投入された金額がステップ１０４で計算された料金以上であるか否かを判断する。ステップ１１２及びステップ１１４で否定された場合は、ステップ１１２へ戻って、現金が投入され、投入金額が料金以上となるまで繰り返す。
【００４１】
ステップ１１４で肯定された場合には、ステップ１４０へ進んで、ステップ１０２で設定した各種設定に基づいて、複合機１２によりジョブを実行する。
【００４２】
ステップ１１０で電子マネーが選択された場合には、ステップ１１６で、図６に示すようなユーザに対するメッセージをタッチパネル付表示部２２に表示し、ＩＣカードリーダライタ部２６にかざされたＩＣカードから電子マネー情報を読み取り、読み取った電子マネー情報をタッチパネル付表示部２２に表示する。
【００４３】
ここで、ＩＣカードに複数の異なる識別情報に応じた電子マネー情報が記憶されている場合は、ＩＣカードリーダライタ部２６により識別情報に応じて電子マネー情報を各々読み取り、識別情報に応じて電子マネー情報を各々表示する。
【００４４】
図７に、複数の異なる識別情報に応じて電子マネー情報が読み取られた場合の電子マネー表示画面の一例を示す。電子マネー表示画面は、電子マネーの識別情報を表示する識別情報表示部４４、電子マネー情報の金額（残高）を識別情報毎に表示する残高表示部４６、ステップ１０２で計算された料金を識別情報毎に表示する利用料金表示部４８、電子マネー情報の金額から料金を差し引いた取引後の電子マネー情報の金額（残高）を識別情報毎に表示する取引後残高表示部５０、料金の支払いに使用する電子マネーを選択するための選択信号を入力する識別情報毎に設けられた選択ボタン５２、残高表示部４６に隣接して設けられた電子マネー情報の金額を増加させるための増加信号を入力するアップボタン５４、残高表示部４６に隣接して設けられた電子マネー情報の金額を減少させるための減少信号を入力するダウンボタン５６、アップボタン５４またはダウンボタン５６を１回押下することにより移動する電子マネー情報の金額の単位を選択するための選択信号を入力する複数の単位選択ボタン５８、及びキャンセルボタン６０を有している。
【００４５】
図７の例では、識別情報が「電子マネーＡ」である電子マネー情報、及び識別情報が「電子マネーＢ」である電子マネー情報が表示されている。電子マネーＡは、残高が１５０円であり、料金２００円を支払った場合、取引後の残高がマイナス５０円となり、料金を支払うために電子マネーＡを選択することができないため、選択ボタン５２Ａは、選択することができないことを示す「×」表示となっている。電子マネーＢは、残高が２，０００円であり、料金２００円を支払った場合、取引後の残高が１，８００円となり、料金を支払うために電子マネーＢを選択することができるため、選択ボタン５２Ｂは、選択することができることを示す「○」表示となっている。
【００４６】
次に、ステップ１１８で、料金を支払うのに充分な金額が残っている電子マネーを選択したか否かを判断する。この判断は、タッチパネル付表示部２２に表示された電子マネー表示画面から、「○」と表示されている選択ボタン５２が押下されたか否かにより行う。図７の例で、電子マネーＢで支払いを希望する場合には、電子マネーＢの選択ボタン５２Ｂを押下することにより肯定されステップ１３８へ進む。
【００４７】
電子マネーＡで支払いを希望する場合には、電子マネーＡの選択ボタン５２Ａを押下することができないため、ステップ１１８で否定され、ステップ１２０へ進む。ステップ１２０で、キャンセルボタン６０が押下されたか否かを判断することによりジョブを続行するか否かを判断する。キャンセルボタン６０が押下された場合には、ステップ１２２へ進み、ジョブをクリアして、ステップ１００へ戻り、ジョブ有の状態となるまで待機する。
【００４８】
ジョブを続行する場合には、ステップ１２４へ進み、単位選択ボタン５８が押下されたか否かを判断する。図７の例では、電子マネー表示画面上に、１０円単位で電子マネー情報の金額を移動する単位選択ボタン５８ａ、１００円単位で電子マネー情報の金額を移動する単位選択ボタン５８ｂ、及び１，０００円単位で電子マネー情報の金額を移動する単位選択ボタン５８ｃの３つの単位選択ボタン５８があり、この何れかが押下されることにより肯定されて、ステップ１２６へ進む。
【００４９】
何れも押下されない場合は、押下されるまで繰り返す。なお、初期設定として予め何れかの単位選択ボタン５８が選択された状態にしておくこともでき、その場合には、ステップ１２４は省略することができる。
【００５０】
次に、ステップ１２６でアップボタン５４及びダウンボタン５６の何れかが押下されたかを判断する。図７の例では、電子マネーＢから電子マネーＡへ電子マネー情報の金額を移動させる必要があるため、電子マネーＡの残高表示部４６Ａに隣接して設けられたアップボタン５４Ａ、または、電子マネーＢの残高表示部４６Ｂに隣接して設けられたダウンボタン５６Ｂが押下された場合には、ステップ１２８へ進む。押下されない場合には、押下されるまで繰り返す。
【００５１】
ステップ１２８で、移動元の電子マネーの残高が、ステップ１２４で選択した単位選択ボタン５８の単位でアップボタン５４またはダウンボタン５６を１回押下することによって移動する金額以上あることにより、移動先の電子マネーへ電子マネー情報の金額を移動させることができるか否かを判断する。
【００５２】
例えば、電子マネーＢから電子マネーＡへ金額を移動させる場合で、電子マネーＢの残高が９００円である場合に、１，０００円単位で電子マネー情報の金額を移動する単位選択ボタン５８ｃが選択され、電子マネーＡのアップボタン５４Ａが押下されても、電子マネーＢに残高が１，０００円以上ないため、金額の移動をすることができず、ステップ１２８で否定され、ステップ１２４に戻り、金額のより小さい単位選択ボタン５８が押下されるまで繰り返す。
【００５３】
次に、ステップ１３０で、電子マネー情報の金額の移動に伴って残高表示部４６、及び取引後残高表示部５０の表示を変更する。例えば、図７に示す状態から、１，０００円単位で電子マネー情報の金額を移動する単位選択ボタン５８ｃを選択し、電子マネーＡのアップボタン５４Ａを１回押下すると、図８に示すように、電子マネーＡの残高表示部４６Ａの表示が１，１５０円、電子マネーＡの取引後残高表示部５０Ａの表示が９５０円、電子マネーＢの残高表示部４６Ｂの表示が１，０００円、及び電子マネーＢの取引後残高表示部５０Ｂの表示が８００円に更新される。
【００５４】
次に、ステップ１３２で、移動先の電子マネー情報の取引後残高が０円以上になったか否かを判断する。例えば、図８の例では、移動先の電子マネーである電子マネーＡの取引後残高は９５０円なので、肯定されてステップ１３４へ進む。否定される場合は、ステップ１２６へ戻り、アップボタン５４及びダウンボタン５６の何れかがさらに押下されるのを待つ。
【００５５】
ステップ１３４で、取引後残高が０円以上となった移動先の電子マネーの選択ボタン５２を、選択可能な状態であることを表す表示に変更する。例えば、電子マネーＡについて、図７では「×」表示であった選択ボタン５２Ａを、図８に示すように「○」表示に変更する。
【００５６】
次に、ステップ１３６で、利用する電子マネーの選択ボタン５２が押下されたか否かを判断する。押下された場合は、ステップ１３８へ進み、押下されない場合は、押下されるまで繰り返す。
【００５７】
ステップ１３８で、ＩＣカードリーダライタ部２６において、電子マネー情報の書き替えを行う。例えば、図８の例で、電子マネーＡを支払いに利用した場合には、電子マネーＡについては、取引後残高表示部５２Ａに表示されている金額である９５０円となるように電子マネー情報が書き替えられ、電子マネーＢについては、残高表示部４６Ｂに表示されている金額である１，０００円となるように電子マネー情報が書き替えられる。
【００５８】
次に、ステップ１４０で、ステップ１０２で設定した各種設定に基づいて、複合機１２によりジョブを実行する。
【００５９】
このように、異なる識別情報の電子マネー情報を画面上に表示し、画面上のボタン操作により異なる識別情報間における電子マネー情報の移動の指示を行うことができ、移動の内容も画面上で確認できるため、視覚的に捉えて直感的に簡易に操作を行うことができ、ユーザの利便性が向上する。
【００６０】
次に、本実施の形態の精算処理に関する処理ルーチンについて図９を参照して説明する。
【００６１】
ステップ２００で、ジョブが正常終了したか否かを判断する。正常終了した場合は、ステップ２０２に進み、現金のつり銭が有るか無いかを判断する。ここでは、図３のステップ１１０で現金による支払いを選択した場合が対象となる。現金によるつり銭がある場合には、ステップ２０４で、課金装置２８のおつり返却口３２へつり銭を返却して、処理を終了する。
【００６２】
ステップ２００で、紙詰まり等の異常が発生したことにより、正常終了しなかったと判断された場合には、ステップ２０６で、複合機１２の複合機制御部１８から正常プリント枚数を取得する。
【００６３】
次に、ステップ２０８で、図３のステップ１０２で設定したコピー枚数からステップ２０６で取得した正常プリント枚数を差し引いた異常枚数から返却金額を計算し、例えば、図１０に示すような、指定枚数、正常枚数、異常枚数、支払済料金、ご利用料金、及び返却金額を報知する異常終了画面をタッチパネル付表示部２２に表示する。異常終了画面は、異常終了の内容を確認して確認信号を入力するための確認ボタン６２を有している。
【００６４】
次に、ステップ２１０で、異常終了画面の確認ボタン６２が押下されたか否かを判断する。押下された場合には、ステップ２１２へ進み、押下されない場合には、押下されるまで繰り返す。
【００６５】
ステップ２１２で、現金による返金か、電子マネーによる返金かの選択をユーザに求めるための返金方法選択画面をタッチパネル付表示部２２に表示する。返金方法選択画面は、図５に示す支払方法選択画面と同様の画面で、現金による返金を選択するための選択信号を入力する現金選択ボタン４０、及び電子マネーによる返金を選択するための選択信号を入力する電子マネー選択ボタン４２を有している。
【００６６】
次に、ステップ２１４で、返金方法選択画面の現金選択ボタン４０及び電子マネー選択ボタン４２の何れかが押下されることにより、返金方法が選択されたか否かを判断する。現金選択ボタン４０が押下された場合には、ステップ２０４へ進み、返却金額を課金装置２８のおつり返却口３２へ返金する。電子マネー選択ボタン４２が押下された場合には、ステップ２１６へ進む。
【００６７】
ステップ２１６で、電子マネー情報を書き替える前にユーザに確認を促すための返却金額確認画面がタッチパネル付表示部２２に表示される。ここで、返却先の電子マネーは、支払いに利用した電子マネーとしても良いし、ユーザにより選択される電子マネーとしても良い。前者の場合には、例えば、図１１に示すような返却金額確認画面とし、後者の場合には、図１２に示すような返却金額確認画面とすることができる。何れの場合にも、例えば、返却先の電子マネーの識別情報、残高、返却金額、及び返却後の残高を表示する。図１１の返却金額確認画面は、返却内容を確認して確認信号を入力するための確認ボタン６４を有しており、図１２の返却金額確認画面は、返却内容を確認し、何れの電子マネーに返金するかを選択するための選択信号を入力する選択ボタン６６を有している。
【００６８】
次に、ステップ２１８で、電子マネー情報の書き替えの確認がなされたか否かを判断する。この判断は、図１１の返却金額確認画面の場合であれば、確認ボタン６４、図１２の返却金額確認画面の場合であれば、選択ボタン６６の何れかが押下されたか否かで行う。押下された場合には、ステップ２２０へ進み、押下されない場合には、押下されるまで繰り返す。
【００６９】
ステップ２２０で、返却金額確認画面で確認した金額、すなわち、支払い後の電子マネー情報の金額に返却金額を加算した金額となるように、ＩＣカードリーダライタ部２６で電子マネー情報を書き替える。
【００７０】
次に、ステップ２２２で、書替後の電子マネー情報を報知するための返却後残高確認画面をタッチパネル付表示部２２に表示する。返却後残高確認画面は、図１３に示すように、読み取られた全ての電子マネーについて表示しても良いし、返却を行った電子マネーについてのみ表示しても良い。返却後残高確認画面は、書替後の残高を確認して処理を終了させるための終了信号を入力する終了ボタン６８を有している。
【００７１】
次に、ステップ２２４で、返却後残高確認画面の終了ボタン６８が押下されたか否かを判断する。押下されない場合は、押下されるまで繰り返し、押下された場合は、処理を終了する。
【００７２】
上記の実施の形態では、２種類の異なる識別情報の電子マネー情報がＩＣカードから読み取られた場合を説明したが、次に、３種類の異なる識別情報の電子マネー情報が読み取られる場合についての処理ルーチンを図１４を参照して説明する。なお、上記の実施の形態と同様の処理については、同じ符号を付して説明を省略する。
【００７３】
まず、ステップ１１６で、３種類の異なる識別情報の電子マネー情報が読み取られると、図１５に示すような電子マネー表示画面がタッチパネル付表示部２２に表示される。電子マネー表示画面は、移動させる金額を表示するための移動金額表示部７０を有している。次に、ステップ１１８、ステップ１２０、及びステップ１２４を経て、ステップ３００へ進む。
【００７４】
ステップ３００で、移動元の電子マネーのダウンボタン５６が押下されたか否かを判断する。図１５の例では、電子マネーＢ及び電子マネーＣの何れかまたは両方から電子マネーＡへ電子マネー情報の金額を移動させる必要があるため、電子マネーＢのダウンボタン５６Ｂ及び電子マネーＣのダウンボタン５６Ｃの何れかが押下された場合には、ステップ１２８へ進む。押下されない場合には、押下されるまで繰り返す。
【００７５】
ステップ１２８で、電子マネー情報の移動が可能か否かを判断し、移動可能な場合は、ステップ３０４へ進み、移動できない場合には、ステップ１２４へ戻り、単位選択ボタン５８が押下されるまで繰り返す。
【００７６】
ステップ３０４で、電子マネー情報の金額の移動に伴って残高表示部４６、及び移動金額表示部７０の表示を変更する。例えば、図１５に示す状態から、１，０００円単位で電子マネー情報の金額を移動する単位選択ボタン５８ｃを選択し、電子マネーＢのダウンボタン５６Ｂを１回押下すると、電子マネーＢの残高表示部４６Ｂの表示が１，０００円、電子マネーＢの取引後残高表示部５０Ｂの表示が８００円、及び移動金額表示部７０の表示が１，０００円に更新される。
【００７７】
次に、ステップ３０６で、移動先の電子マネーのアップボタン５４が押下されたか否かを判断する。押下されない場合は、ステップ１２４へ戻り、さらに移動金額の情報を受け付ける。なお、選択されている単位選択ボタン５８を変更する必要が無い場合には、このステップを省略してステップ３００へ戻る。
【００７８】
例えば、上記の例で、移動金額表示部７０が１，０００円になった状態から、さらに、１００円単位で電子マネー情報の金額を移動する単位選択ボタン５８ｂを押下し、電子マネーＣのダウンボタン５６Ｃを１回押下すると、図１６に示すように、電子マネーＣの残高表示部４６Ｃの表示が９００円、電子マネーＣの取引後残高表示部５０Ｃの表示が７００円、及び移動金額表示部７０の表示が１，１００円に更新される。
【００７９】
ステップ３０６で肯定されると、ステップ３０８へ進み、移動先の電子マネーの残高表示部４６に表示されている金額に、移動金額表示部７０に表示されている金額を加え、移動金額表示部７０の表示が０円となるように変更する。例えば、図１６の状態から、ステップ３０６で電子マネーＡのアップボタン５４Ａが押下された場合には、図１７に示すように、電子マネーＡの残高表示部４６Ａの表示が１，２５０円、電子マネーＡの取引後残高表示部５０Ａの表示が１，０５０円、及び移動金額表示部７０の表示が０円に更新され、ステップ１３２へ進む。
【００８０】
なお、本実施の形態では、識別情報が３種類の場合について説明したが、４種類以上の異なる識別情報が読み取られ、表示された場合であっても、同様に処理することができる。
【００８１】
なお、ステップ１０２、ステップ１０６、ステップ１１２、ステップ１１４、ステップ１２４、ステップ１２６、ステップ１２８、ステップ１３６、ステップ３００において否定され、処理を繰り返す場合で、所定回数または所定時間繰り返しても肯定されない場合には、ジョブをクリアしてステップ１００の待機状態に戻るようにしても良い。ステップ２１０、ステップ２２４において否定された場合は、ボタン押下を促すメッセージ表示や音声出力を行う。それでも押下されない場合はつり銭忘れとして処理しログを残しレジ対応とする。ステップ２１８において否定された場合は、書替確認を促すメッセージ表示や音声出力を行う。
【００８２】
このように、移動金額を移動金額表示部７０に表示させる処理を行うことで、識別情報が異なる３種類以上の電子マネー情報が読み取られ、表示されても、移動元の電子マネーの選択、及び移動先の電子マネーの選択を適切に行うことができる。
【図面の簡単な説明】
【００８３】
【図１】本発明の電子マネー表示装置を複合機に適用した外観概略図である。
【図２】実施の形態の構成を示すブロック図である。
【図３】実施の形態の電子マネー情報の移動に関する処理ルーチンを示すフローチャートである。
【図４】実施の形態の設定内容及び料金の確認画面の一例である。
【図５】実施の形態の支払方法選択画面の一例である。
【図６】実施の形態のメッセージ画面の一例である。
【図７】実施の形態の電子マネー表示画面の一例である。
【図８】実施の形態の電子マネーの移動を説明するための電子マネー表示画面の一例である。
【図９】実施の形態の返金処理に関する処理ルーチンを示すフローチャートである。
【図１０】実施の形態の異常終了画面の一例である。
【図１１】実施の形態の返却金額確認画面の一例である。
【図１２】実施の形態の返却金額確認画面の別の一例である。
【図１３】実施の形態の返却後残高確認画面の一例である。
【図１４】他の実施の形態の処理ルーチンを示すフローチャートである。
【図１５】実施の形態の電子マネー表示画面の他の例である。
【図１６】実施の形態の電子マネーの移動を説明するための電子マネー表示画面の他の例である。
【図１７】実施の形態の電子マネーの移動を説明するための電子マネー表示画面の他の例である。
【符号の説明】
【００８４】
４４  識別情報表示部
４６  残高表示部
４８  利用料金表示部
５０  取引後残高表示部
５２  選択ボタン
５４  アップボタン
５６  ダウンボタン
５８  単位選択ボタン
６０  キャンセルボタン
【図１】
2009086919.tif 000003
【図２】
2009086919.tif 000004
【図３】
2009086919.tif 000005
【図４】
2009086919.tif 000006
【図５】
2009086919.tif 000007
【図６】
2009086919.tif 000008
【図７】
2009086919.tif 000009
【図８】
2009086919.tif 000010
【図９】
2009086919.tif 000011
【図１０】
2009086919.tif 000012
【図１１】
2009086919.tif 000013
【図１２】
2009086919.tif 000014
【図１３】
2009086919.tif 000015
【図１４】
2009086919.tif 000016
【図１５】
2009086919.tif 000017
【図１６】
2009086919.tif 000018
【図１７】
2009086919.tif 000019